(57)【要約】【課題】物品を安定して収納すること。【解決手段】収納装置１００は、ハウジング１０１と、緩衝部１０２と、加圧部１０３とを備える。ハウジング１０１は、収容空間１１０に対応した大きさを有し、物品１２０を収納する。緩衝部１０２は、ハウジング１０１内に配置されて、緩衝材からなるとともに、物品１２０を収納するための開口部１０２ａを有する。加圧部１０３は、ハウジング１０１内に物品１２０が収納された状態で、緩衝部１０２に対して、開口部１０２ａを閉塞させる方向に力を印加させることにより物品１２０を挟持させる。【選択図】図１
2008290522.tif 000002
【特許請求の範囲】
【請求項１】
移動体の収容空間に設けられる収納装置であって、
前記収容空間に対応した大きさを有し、物品を収納するハウジングと、
前記ハウジング内に配置されて、緩衝材からなるとともに、前記物品を収納するための開口部を有する緩衝手段と、
前記ハウジング内に前記物品が収納された状態で、前記緩衝手段に対して、前記開口部を閉塞させる方向に力を印加させることにより前記物品を挟持させる加圧手段と、
を備えることを特徴とする収納装置。
【請求項２】
前記ハウジングから取り出し自在な収容トレイをさらに備え、
前記緩衝手段は、前記収容トレイに設けられ、
前記加圧手段は、前記収容トレイが前記ハウジング内に収納されたときに、前記緩衝手段に対して前記開口部を閉塞させる方向に力を印加させる一方、前記収容トレイが取り出されたときに、前記緩衝手段に対して前記開口部を閉塞させる方向の力を解除することを特徴とする請求項１に記載の収納装置。
【請求項３】
前記ハウジング内に前記収容トレイを引き出し自在にするスライド機構をさらに備え、
前記緩衝手段は、前記物品に対して上方および下方に設けられる対構成であり、下方に設けられる一方が前記収容トレイ内に設けられ、上方に設けられる他方が前記収容トレイに対応する前記ハウジング内に設けられることを特徴とする請求項２に記載の収納装置。
【請求項４】
前記ハウジング内の前記物品の有無を検知する検知手段をさらに備え、
前記加圧手段は、前記検知手段によって前記ハウジング内の前記物品が検知されたときに、前記緩衝手段に対して前記開口部を閉塞させる方向の力を印加させることを特徴とする請求項１〜３のいずれか一つに記載の収納装置。
【請求項５】
前記加圧手段は、前記収容トレイが引き出される前に、前記緩衝手段に対して前記開口部を閉塞させる方向の力を解除させることを特徴とする請求項４に記載の収納装置。
【請求項６】
前記緩衝手段は、エアバックを有し、
前記加圧手段は、前記エアバックに空気を送出することによって、前記緩衝手段に対して前記開口部を閉塞させる方向の力を印加させることを特徴とする請求項１〜５のいずれか一つに記載の収納装置。
【請求項７】
前記物品を載置するとともに、前記物品の重量によりたわむ載置手段をさらに備え、
前記検知手段は、前記物品の載置による前記載置手段のたわみを検知し、
前記加圧手段は、前記検知手段によって前記載置手段にたわみが検知されたときに、前記緩衝手段に対して前記開口部を閉塞させる方向の力を印加させることを特徴とする請求項４に記載の収納装置。
【請求項８】
前記ハウジング内に送受信可能な前記物品用の内部アンテナを備えることを特徴とする請求項１〜７のいずれか一つに記載の収納装置。
【請求項９】
前記移動体のセンターパネルに配置されることを特徴とする請求項１〜８のいずれか一つに記載の収納装置。
【発明の詳細な説明】
【技術分野】
【０００１】
この発明は、収納装置に関する。
【背景技術】
【０００２】
近年、車両などの移動体には、オーディオ装置が搭載されている。このようなオーディオ装置では、携帯型オーディオプレーヤを接続することにより、携帯型オーディオプレーヤに記録されている楽曲を再生させることが可能である。この場合、オーディオ装置に接続される携帯型オーディオプレーヤは、コンソールボックスやカップホルダなど、運転席周りの任意の位置に置かれる。ところが、コンソールボックスやカップホルダなどに携帯型オーディオプレーヤを置いた場合、車両内に発生する慣性により、携帯型オーディオプレーヤに衝撃が加わるほか、携帯型オーディオプレーヤが転がるおそれがある。
【０００３】
そこで、たとえば、ダッシュボードの平面を有する部位などに、摩擦力を有して振動や衝撃を吸収する耐震マットなどのシートを敷き、その上に携帯型オーディオプレーヤを載置することにより、携帯型オーディオプレーヤへの衝撃や転倒を防止することも可能である（たとえば、下記特許文献１参照。）。
【０００４】
【特許文献１】特開２００７−８５４６１号公報
【発明の開示】
【発明が解決しようとする課題】
【０００５】
しかしながら、上述した特許文献１の技術では、ヘッドホンなどの携帯型オーディオプレーヤの付随品が携帯型オーディオプレーヤに巻回されている場合には、携帯型オーディオプレーヤとシートとの接触面が確保されず、携帯型オーディオプレーヤが転倒しやすくなり、転倒による携帯型オーディオプレーヤの故障のおそれがあるだけでなく、運転席の足下などに落ちた場合には、運転上危険であるといった問題が一例として挙げられる。また、ヘッドホンなどの付随品を取り外した場合には、車内に当該付随品の置き場所がないといった問題が一例として挙げられる。
【課題を解決するための手段】
【０００６】
上述した課題を解決し、目的を達成するため、請求項１の発明にかかる収納装置は、移動体の収容空間に設けられる収納装置であって、前記収容空間に対応した大きさを有し、物品を収納するハウジングと、前記ハウジング内に配置されて、緩衝材からなるとともに、前記物品を収納するための開口部を有する緩衝手段と、前記ハウジング内に前記物品が収納された状態で、前記緩衝手段に対して、前記開口部を閉塞させる方向に力を印加させることにより前記物品を挟持させる加圧手段と、を備えることを特徴とする。
【発明を実施するための最良の形態】
【０００７】
以下に添付図面を参照して、この発明にかかる収納装置の好適な実施の形態を詳細に説明する。
【０００８】
（実施の形態）
（収納装置１００の構成）
この発明の実施の形態にかかる収納装置１００の構成について説明する。図１は、実施の形態にかかる収納装置の構成の一例を示す説明図である。図１において、収納装置１００は、車両などの移動体の収容空間１１０内に設けられるものであり、ハウジング１０１と、緩衝部１０２と、加圧部１０３と、を備えている。
【０００９】
収容空間１１０は、たとえば、コンソールボックス、ダッシュボード、センターパネルなどに形成された空間であり、具体的には、ナビゲーション装置、音響装置などが収容される空間と同様の空間である。本実施の形態において、収納装置１００は、センターパネルに形成される収容空間に設けられている。
【００１０】
ハウジング１０１は、収容空間１１０に対応した大きさを有し、物品１２０を収納する。ハウジング１０１は、個々の収容空間１１０に対応して、はめ込むことができる大きさのものである。物品１２０は、ハウジング１０１内に収納できる大きさのものであれば、いかなるものであってもよいが、代表的には、携帯電話や、携帯型オーディオプレーヤなどが挙げられる。携帯型オーディオプレーヤとは、ＣＤやＭＤを再生するもののほか、内部にＨＤＤを内蔵したものが挙げられる。このほかにも物品１２０としては、たとえば、時計、眼鏡などの衝撃に弱いものや、転がりやすいものであってもよい。
【００１１】
緩衝部１０２は、ハウジング１０１内に配置されて、緩衝材からなるとともに、物品１２０を収納するための開口部１０２ａを有する。緩衝材は、クッション性のある変形自在なものであり、具体的には、スポンジ、ゴム、エアバックなどが挙げられる。開口部１０２ａは、物品を収納および取り出しができる程度の大きさを備えていればよい。
【００１２】
加圧部１０３は、ハウジング１０１内に物品１２０が収納された状態で、緩衝部１０２に対して、開口部１０２ａを閉塞させる方向に力を印加させることにより物品１２０を挟持させる。なお、物品１２０が収納されたあととは、物品１２０の収納時をも含む趣旨である。物品１２０を挟持させるとは、緩衝部１０２が物品１２０を周囲から挟んだ状態にあることである。緩衝部１０２が物品を周囲から挟む方向は、物品の上下左右いずれの方向からでもよいし、上下方向または左右方向の一方向のみであってもよい。
【００１３】
加圧部１０３の加圧方式は、緩衝部１０２による弾性力のみを用いたものでもよい。また、加圧部１０３の加圧方式は、緩衝部１０２の配置を移動させる移動機構を設けて緩衝部１０２を物品１２０側に移動させることによって加圧するものでもよいし、緩衝部１０２としてのエアバックに空気を送出することによって加圧するものでもよい。
【００１４】
また、本実施の形態において、不図示の収容トレイを備えてもよい。収容トレイは、ハウジングから取り出し自在なものである。この場合、緩衝部１０２は、収容トレイに設けられる。また、加圧部１０３は、収容トレイがハウジング１０１内に収納されたときに、緩衝部１０２に対して開口部１０２ａを閉塞させる方向に力を印加させる一方、収容トレイが取り出されたときに、緩衝部１０２に対して開口部１０２ａを閉塞させる方向の力を解除する。
【００１５】
具体的には、収容トレイは、たとえば、上蓋および底蓋を有した開閉自在の箱形状のケースであり、ハウジング１０１から取り出した際に物品１２０を収容するために開放できる一方、ハウジング１０１へ収納する際には緩衝部１０２に対して開口部１０２ａを閉塞させる方向に力を印加させるために閉鎖できるものが挙げられる。
【００１６】
また、このような構成において、ハウジング１０１内に収容トレイを引き出し自在にするスライド機構を備えてもよい。この場合、緩衝部１０２は、物品１２０に対して上方および下方に設けられる対構成とし、下方に設けられる一方が収容トレイ内に設けられ、上方に設けられる他方が収容トレイに対応するハウジング１０１内に設けられる。本構成は、緩衝部１０２が分離した構成であるが、この場合、エアバックを用いた加圧方式や、移動機構を用いた加圧方式では、上方及び下方のそれぞれの緩衝部１０２に対して加圧できる構成にすればよい。
【００１７】
また、本実施の形態において、不図示の検知部を備えてもよい。検知部は、ハウジング１０１内の物品１２０の有無を検知する。この場合、加圧部１０３は、検知部によってハウジング１０１内の物品１２０が検知されたときに、緩衝部１０２に対して開口部１０２ａを閉塞させる方向の力を印加させる。検知部は、具体的には、センサであり、ハウジング１０１内の物品１２０の有無を検知できるものであれば、光センサなど、いかなるものでもよい。
【００１８】
また、本実施の形態において、加圧部１０３は、収容トレイが引き出される前に、緩衝部１０２に対して開口部１０２ａを閉塞させる方向の力を解除させるようにしてもよい。この場合、収容トレイの収納および引き出しの状態を検知できるセンサを備えればよい。具体的には、収容トレイが収納された状態であることを検知するとともに、たとえば、利用者による収容トレイの開ボタンが押下されたことや、収容トレイの把持部が把持されたことを検知できる構成にすればよい。したがって、本構成は、利用者によって、収容トレイの開ボタンが押下されたときや、収容トレイの把持部が把持されたときに、緩衝部１０２に対して開口部１０２ａを閉塞させる方向の力を解除させるものである。
【００１９】
また、本実施の形態においては、緩衝部１０２がエアバックを有し、加圧部１０３がエアバックに空気を送出することによって、エアバックに対して開口部１０２ａを閉塞させる方向の力を印加させるようにすることが望ましい。この場合、物品１２０を収容した収容トレイがハウジング１０１内に収納されたときに、加圧部１０３がエアバックに空気を送出し、エアバックを膨張させればよい。また、収容トレイをハウジング１０１から引き出す際には、エアバックのエアを抜くことが望ましい。なお、エアバックのエア抜きは、自然排気としてもよいし、吸引部を備え、強制的にエアを吸引するようにしてもよい。
【００２０】
また、本実施の形態において、不図示の載置部を備えてもよい。載置部は、物品１２０を載置するとともに、物品１２０の重量によって、たわむものである。この場合、検知部は、物品１２０の載置による載置部のたわみを検知する。また、加圧部１０３は、検知部によって載置部にたわみが検知されたときに、緩衝部１０２に対して開口部１０２ａを閉塞させる方向の力を印加させる。
【００２１】
載置部は、物品を載置した際に、物品１２０の重量によりたわむものであればよく、具体的には、たとえば、ゴムなどの伸縮可能なネット状のものや、伸縮性のある布をバネなどで取り付けたものが挙げられる。
【００２２】
また、本実施の形態において、ハウジング１０１内に送受信可能な物品１２０用の内部アンテナを備えるようにしてもよい。本構成は、物品１２０として携帯電話が収納された場合を想定したものであり、具体的には、たとえば、携帯電話によってダウンロード中の楽曲を、音響装置によって再生する場合などを想定したものである。
【００２３】
なお、収納装置１００内に物品１２０が収納されている旨を通知する通知部を備えるようにしてもよい。具体的な構成としては、検知部によってハウジング１０１内の物品１２０が検知されたときに、たとえば、収納装置１００に接続される他の装置のディスプレイなどに、その旨を通知するようにすればよい。
【００２４】
（収納装置１００の収納手順）
つぎに、図２を用いて、収納装置１００の収納手順について説明する。図２は、実施の形態にかかる収納装置の収納手順の一例を示すフローチャートである。
【００２５】
図２のフローチャートにおいて、緩衝部１０２の開口部１０２ａに物品１２０を収納する（ステップＳ２０１）。そして、加圧部１０３は、緩衝部１０２に対して、開口部１０２ａを閉塞させる方向に力を印加させる（ステップＳ２０２）。そして、緩衝部１０２に物品１２０を挟持させて（ステップＳ２０３）、一連の手順を終了する。
【００２６】
以上説明したように、本実施の形態にかかる収納装置１００において、加圧部１０３は、開口部１０２ａを有する緩衝部１０２に対して、開口部１０２ａを閉塞させる力を印加することにより、物品１２０を挟持させるようにした。このような構成によれば、移動体の停止や加速によって生じる物品１２０の転がりを防止できるので、物品１２０が運転席の足下に落下するなどの運転上の危険を抑止することができる。また、移動体の振動に伴う物品１２０に対する衝撃を吸収できるので、物品１２０の故障や損傷を抑止できる。また、緩衝部１０２が変形自在の緩衝材からなることにより、物品１２０の付随品であるイヤホンやヘッドホンなどのコードを巻いたままの状態で、物品１２０を収納できる。したがって、付随品の置き場所を別途設ける必要なく、スペースの有効利用を図ることができる。
【００２７】
また、本実施の形態にかかる収納装置１００は、ハウジングから取り出し自在な収容トレイを備え、収容トレイ内に緩衝部１０２を設け、収容トレイがハウジング１０１内に収納されたときに、緩衝部１０２に対して開口部１０２ａを閉塞させる方向に力を印加させる一方、収容トレイが取り出されたときに、緩衝部１０２に対して開口部１０２ａを閉塞させる方向の力を解除するようにしてもよい。このような構成によれば、物品１２０の取り出し、および収納を、円滑且つ容易におこなうことができる。
【００２８】
また、本実施の形態にかかる収納装置１００において、収容トレイを引き出し自在にするスライド機構を備えるようにし、緩衝部１０２が、物品１２０に対して上方および下方に設けられる対構成であり、下方に設けられる一方が収容トレイ内に設けられ、上方に設けられる他方が収容トレイに対応するハウジング１０１内に設けられるようにしてもよい。このような構成によれば、物品１２０の取り出し、および収納を、最も円滑且つ容易におこなうことができる。
【００２９】
また、本実施の形態にかかる収納装置１００は、ハウジング１０１内の物品１２０の有無を検知する検知部を備えるようにし、検知部によってハウジング１０１内の物品１２０が検知されたときに、緩衝部１０２に対して開口部１０２ａを閉塞させる方向の力を印加させるようにしてもよい。このような構成によれば、ハウジング１０１内に物品１２０が存在するときにのみ、緩衝部１０２に対して加圧することができる。したがって、ハウジング１０１内に物品１２０が存在しない場合には緩衝部１０２が加圧されないため、物品１２０が存在しない場合における収容トレイの引出動作を円滑におこなうことができる。
【００３０】
また、本実施の形態にかかる収納装置１００において、加圧部１０３は、収容トレイが引き出される前に、緩衝部１０２に対して開口部１０２ａを閉塞させる方向の力を解除させるようにしてもよい。このような構成により、ハウジング１０１内に物品１２０が存在する場合における収容トレイの引出動作を円滑におこなうことができる。
【００３１】
また、本実施の形態にかかる収納装置１００において、緩衝部１０２がエアバックを備えるようにし、加圧部１０３は、エアバックに空気を送出することによって、緩衝部１０２に対して開口部１０２ａを閉塞させる方向の力を印加させるようにしてもよい。このような構成によれば、加圧および加圧の解除を最も簡単な構成で実現することができる。
【００３２】
また、本実施の形態にかかる収納装置１００は、物品１２０を載置するとともに、物品１２０の重量によりたわむ載置部を備えるようにし、物品１２０の載置による載置部のたわみを検知し、載置部にたわみが検知されたときに、緩衝部１０２に対して開口部１０２ａを閉塞させる方向の力を印加させるようにしてもよい。このような構成によれば、緩衝作用のある載置部を用いることができ、載置部が物品１２０に対して衝撃を与えてしまうことなく、また、簡単な構成で物品１２０の有無を検知することができる。
【００３３】
また、本実施の形態にかかる収納装置１００は、ハウジング１０１内に送受信可能な物品１２０用の内部アンテナを備えるようにしてもよい。このような構成によれば、たとえば、携帯電話などの送受信可能な物品１２０を用いて、楽曲をダウンロードしている場合であっても、電波状態が安定するため、ダウンロードが中止されることなく、接続される音響装置によってダウンロード中の楽曲を再生させることができる。
【００３４】
また、本実施の形態においては、収納装置１００を移動体のセンターパネルに配置するようにした。このような構成によれば、利用者にとって、物品１２０の収納および取り出しをおこないやすい部位に収納装置１００を配置でき、良好な操作性を得ることができる。また、収納装置１００内に物品１２０が収納されている旨を通知する通知部を備えるようにすれば、収納装置１００内に物品１２０を置き忘れてしまうといったことを防止できる。
【実施例】
【００３５】
以下に、本発明の実施例について説明する。
【００３６】
（収納装置３１１の配置の一例）
図３を用いて、本実施例にかかる収納装置３１１の配置の一例について説明する。図３は、本実施例にかかる収納装置の配置の一例を示す説明図である。図３において、車両３００には、シート３０１と、センターパネル３１０と、サイドドア３２０と、が表示されている。シート３０１は、運転者または同乗者が搭乗する座席である。センターパネル３１０内に、収納装置３１１と、ナビゲーション装置３１２とが設けられている。また、サイドドア３２０には、スピーカ３２１が設けられている。
【００３７】
収納装置３１１は、後述するように、引出自在になっており、内部に携帯型オーディオプレーヤや携帯電話などを収納できるようになっている。ナビゲーション装置３１２は、経路案内をおこなうほか、音響装置が内蔵され、開閉式の表示画面が開くとＣＤやＭＤなどが挿入できるようになっている。また、ナビゲーション装置３１２は、携帯型オーディオプレーヤや携帯電話と接続することによって、携帯型オーディオプレーヤや携帯電話に記録される楽曲が再生可能になっている。スピーカ３２１は、ナビゲーション装置３１２による経路案内や、ナビゲーション装置３１２に含まれる音響装置からの音声情報を音声出力する。
【００３８】
（収納装置３１１の構成）
つぎに、図４を用いて、本実施例にかかる収納装置３１１の構成について説明する。図４は、本実施例にかかる収納装置の構成を示す斜視図である。
【００３９】
図４において、収納装置３１１は、センターパネル３１０の収容空間４００に、はめ込まれたものである。収納装置３１１は、ハウジング４０１と、収容トレイ４１０とを備えて構成されている。ハウジング４０１は、収容空間４００内に固設されている。収容トレイ４１０は、ハウジング４０１から引き出し自在に設けられている。収容トレイ４１０は、側壁４１１と、ガイドレール４１２と、開閉ボタン４１３と、収容部４１４と、ネット４１５とを備えて構成されている。
【００４０】
収容トレイ４１０は、長方形状の底板を囲んで配置される４枚の側壁４１１により、上部が開放した箱形状を形成している。ガイドレール４１２は、スライド機構の一部であり、正面から見て両サイドに配置される側壁４１１に設けられている。また、ハウジング４０１には、このガイドレール４１２に対応して、スライド機構の一部である不図示のガイドローラが設けられている。また、ガイドローラは、たとえば、不図示のモータに接続されており、モータの回転に伴って回転することにより、収容トレイ４１０を引出自在にしている。
【００４１】
開閉ボタン４１３は、前面に配置される側壁４１１に設けられている。開閉ボタン４１３が押下されると、上述したガイドローラに接続されるモータが回転することにより、収容トレイ４１０が引き出され、または収納されるようになっている。
【００４２】
収容部４１４は、底板と、当該底板の四周を囲む側壁４１１とによって囲まれた空間である。収容部４１４には、側壁４１１の内側に、ネット４１５が張設されている。ネット４１５は、収容部４１４に物品を収納していないときには水平状に張られている一方、たとえば、携帯型オーディオプレーヤ４２０を載置したときには、たわみが出る程度の張力で張られている。このネット４１５は、たとえば、ゴムなどの伸縮自在な素材から構成されている。また、収容部４１４のネット４１５のさらに下部には、後述する緩衝部としてのエアバックが配置されている。
【００４３】
また、正面から見て後方の側壁４１１には、挿通孔４１６が形成されている。挿通孔４１６には、携帯型オーディオプレーヤ４２０と接続可能な接続コード４２２が挿通されている。この接続コード４２２に携帯型オーディオプレーヤ４２０を連結することによって、携帯型オーディオプレーヤ４２０とナビゲーション装置３１２とが接続されるようになっている。また、本実施の形態において、収容トレイ４１０に収容される携帯型オーディオプレーヤ４２０には、付随品のイヤホン４２１が巻回されている。
【００４４】
つぎに、図５を用いて、本実施例にかかる収納装置３１１の構成について説明する。図５は、本実施例にかかる収納装置の構成を示す断面図である。
【００４５】
図５において、収納装置３１１は、ハウジング４０１内の上部に緩衝材としてのエアバック５００を配置している。また、収容トレイ４１０の内部にも同様にエアバック５００を備えている。エアバック５００は、コンプレッサ５０１に接続されている。なお、図５に示す、収容トレイ４１０が引き出された状態では、コンプレッサ５０１は作動しておらず、つまり、エアバック５００に空気が入っていない状態である。
【００４６】
エアバック５００は、空気が注入されることにより膨張する。エアバック５００は、膨張時に緩衝できる程度のクッション性を有する。コンプレッサ５０１は、エアバック５００に空気を送出する。コンプレッサ５０１は、エアバック５００が所定の空気圧に達すると駆動が停止するようになっている。
【００４７】
また、収納装置３１１は、ネット４１５の一定以上のたわみを検知する不図示のセンサを備えている。センサは、具体的には、ネット４１５上に物品が載置された際の、ネット４１５に作用する所定値以上の張力を検知する。張力の所定値とは、収納が想定される物品のうち、最も軽量な物品をネット４１５に載置した際に、ネット４１５に生ずる張力である。なお、センサは、このような形式のものに限らず、携帯型オーディオプレーヤ４２０の有無を検知できるものであれば、光センサなど、適宜用いて差し支えない。
【００４８】
なお、接続コード４２２は、図示していないがナビゲーション装置３１２に接続されている。また、本実施の形態において、接続コード４２２の配置については、収容トレイ４１０の収納動作方向に延設されているが、このような方式に限らず、収容トレイ４１０の収納動作を妨げるものでなければ他の方式であってもよい。
【００４９】
また、本実施例において、収容トレイ４１０に携帯電話を収容した状態で当該携帯電話による送受信を想定し、電波状態を改善させるために、ハウジング４０１内に送受信可能な内部アンテナを備えるようにしてもよい。具体的には、内部アンテナは、車両３００に装備されている外部アンテナに接続する構成とすればよい。
【００５０】
また、本実施例において、センサによってネット４１５上に物品が載置されていることが検知された際に、ナビゲーション装置３１２のディスプレイに、収納装置３１１内に物品が収納されている旨を表示するようにしてもよい。
【００５１】
（収納装置３１１の収納処理の一例）
つぎに、図６を用いて、本実施例にかかる収納装置３１１がおこなう収納処理の一例について説明する。図６は、本実施例にかかる収納装置の収納処理の一例を示すフローチャートである。
【００５２】
図６のフローチャートにおいて、収納装置３１１は、収容トレイ４１０が引き出された状態にあるものとし、利用者によって開閉ボタン４１３が押下され、収容トレイ４１０が収納されるまで、待機状態にある（ステップＳ６０１：Ｎｏのループ）。ステップＳ６０１において、収容トレイ４１０が収納されると（ステップＳ６０１：Ｙｅｓ）、センサが、ネット４１５の張力を検知する（ステップＳ６０２）。
【００５３】
そして、検知された張力を基に、ネット４１５上に携帯型オーディオプレーヤ４２０などの物品が載置されているか否かを判断する（ステップＳ６０３）。ステップＳ６０３において、物品が載置されていると判断した場合（ステップＳ６０３：Ｙｅｓ）、コンプレッサ５０１を駆動する（ステップＳ６０４）。そして、エアバック５００に空気を注入することにより、エアバック５００に物品を挟持させ（ステップＳ６０５）、一連の処理を終了する。
【００５４】
一方、ステップＳ６０３において、物品が載置されていないと判断した場合（ステップＳ６０３：Ｎｏ）、一連の処理を終了する。このような処理のあと、利用者がナビゲーション装置３１２を操作することによって、携帯型オーディオプレーヤ４２０をスピーカ３２１から再生出力することができる。
【００５５】
（収納装置３１１の動作例）
つぎに、図７および図８を用いて、本実施例にかかる収納装置３１１の動作例について説明する。図７および図８は、本実施例にかかる収納装置の動作例を示す作用図である。
【００５６】
図７において、収容トレイ４１０には、利用者によって、携帯型オーディオプレーヤ４２０が載置されるとともに、携帯型オーディオプレーヤ４２０と接続コード４２２とが連結された状態を示している。このとき、ネット４１５は、携帯型オーディオプレーヤ４２０が載置されることにより、たわみの生じた状態にある。この状態から、利用者が開閉ボタン４１３を押下すると、収容トレイ４１０は、ハウジング４０１に収納される。そして、センサによって、ネット４１５のたわみが検知される。
【００５７】
そして、センサによってネット４１５に一定以上のたわみが検知され、この検知結果に基づいて、コンプレッサ５０１が駆動する。すると、図８に示すように、コンプレッサ５０１から送出される空気により、エアバック５００は膨張する。このとき、ハウジング４０１の上方に配置されるエアバック５００は、携帯型オーディオプレーヤ４２０を押し下げる方向の力を印加し、一方、収容トレイ４１０に配置されるエアバック５００は、携帯型オーディオプレーヤ４２０を押し上げる方向の力を印加する。そして、双方のエアバック５００が一定の空気圧に達した状態で、エアバック５００の膨張が停止する。そして、エアバック５００が、携帯型オーディオプレーヤ４２０を挟持する。
【００５８】
このように、エアバック５００を膨張させ、エアバック５００に携帯型オーディオプレーヤ４２０を挟持させることにより、携帯型オーディオプレーヤ４２０の転倒を防止できるとともに、携帯型オーディオプレーヤ４２０の付随品であるイヤホン４２１を携帯型オーディオプレーヤ４２０に巻いた状態であっても、当該携帯型オーディオプレーヤ４２０を安定して収納することができる。
【００５９】
（収納装置３１１の引出処理の一例）
つぎに、図９を用いて、本実施例にかかる収納装置３１１がおこなう引出処理の一例について説明する。図９は、本実施例にかかる収納装置の引出処理の一例を示すフローチャートである。
【００６０】
図９のフローチャートにおいて、収納装置３１１は、収容トレイ４１０に携帯型オーディオプレーヤ４２０が収容された状態にあることを前提とし、利用者によって開閉ボタン４１３が押下されるまで、待機状態にある（ステップＳ９０１：Ｎｏのループ）。ステップＳ９０１において、開閉ボタン４１３が押下されると（ステップＳ９０１：Ｙｅｓ）、エアバック５００のエア抜きがおこなわれる（ステップＳ９０２）。そして、モータを駆動することによって収容トレイ４１０を引き出し（ステップＳ９０３）、一連の処理を終了する。なお、このあと、利用者が開閉ボタン４１３を押下することにより、収容トレイ４１０がハウジング４０１内に収納される。
【００６１】
このように、本実施例においては、収容トレイ４１０が引き出される際には、エアバック５００内の空気が排気された状態にある。したがって、エアバック５００が収容トレイ４１０の収納引出動作を妨げるといったことを防止できる。また、携帯型オーディオプレーヤ４２０などの物品が収納装置３１１内に収容されていない状態においても、同様に、エアバック５００内の空気が排気された状態にある。したがって、不必要にエアバック５００を膨張させることなく、節電や、エアバック５００の長期使用による疲労を防止できるといった効果を奏する。
【００６２】
（収容トレイ４１０の変形例）
つぎに、図１０を用いて、本実施例にかかる収納装置３１１の収容トレイ４１０の変形例について説明する。図１０は、本実施例にかかる収納装置に用いられる収容トレイの変形例を示す斜視図である。なお、図１０に示す収容トレイ１０００は、収容トレイ１０００内にエアバック５００を備えず、アタッチメントとしてのホルダ１０２０を備えた点で、図４に示した収容トレイ４１０と異なる。なお、図１０においては、図４に示した収容トレイ４１０と同様の構成ものには、同様の符号を付し、ここでは、詳細な説明を省略する。
【００６３】
図１０に示す収容トレイ１０００は、収容部１０１０内にホルダ１０２０が設けられている。ホルダ１０２０は、たとえば、携帯型オーディオプレーヤ４２０と同等の大きさに形成されており、携帯型オーディオプレーヤ４２０を収納できるようになっている。また、ホルダ１０２０の底面部１０２１には、たとえば、スポンジなどの緩衝部材が敷かれている。また、ホルダ１０２０の壁面１０２２には、光センサが設けられており、ホルダ１０２０内の携帯型オーディオプレーヤ４２０の存在を検知するようになっている。
【００６４】
また、ホルダ１０２０には、携帯型オーディオプレーヤ４２０と接続コード４２２との接続に際して、接続部が携帯型オーディオプレーヤ４２０の収納を妨げることのないよう、切欠部１０２３が形成されている。また、この収容トレイ１０００が収納されるハウジング４０１の上部には、図４に示した構成と同様に、エアバック５００が配置されている。
【００６５】
本構成は、ホルダ１０２０内に携帯型オーディオプレーヤ４２０が検知されると、ハウジング４０１内のエアバックが膨張し、携帯型オーディオプレーヤ４２０の上部から携帯型オーディオプレーヤ４２０を加圧するようになっている。また、携帯型オーディオプレーヤ４２０の下部は、スポンジの緩衝材によって加圧されるようになっている。
【００６６】
なお、本構成において、ホルダ１０２０は、携帯型オーディオプレーヤ４２０に対応する大きさのものとしたが、携帯電話など、他の物品に対応した大きさのものを用いてもよい。このような構成においても、図４に示した収容トレイ４１０と同様の効果を奏する。
【００６７】
以上説明したように、本実施例にかかる収納装置３１１においては、コンプレッサ５０１を駆動することにより、エアバック５００を膨張させて、エアバック５００に携帯型オーディオプレーヤ４２０などの物品を挟持させるようにした。このような構成によれば、車両３００の停止や加速によって生じる物品の転倒を防止できるので、物品が運転席の足下に落下するなどの運転上の危険を抑止することができる。また、車両３００の振動に伴う物品に対する衝撃を吸収できるので、物品の故障や損傷を抑止できる。また、エアバック５００が変形自在の緩衝材からなることにより、物品の付随品であるイヤホン４２１などのコードを巻いたままの状態で、物品を収納できる。したがって、付随品の置き場所を別途設ける必要なく、スペースの有効利用を図ることができる。
【００６８】
また、本実施例にかかる収納装置３１１は、ハウジング４０１から取り出し自在な収容トレイ４１０を備え、収容トレイ４１０内にエアバック５００を設け、収容トレイ４１０がハウジング４０１内に収納されたときに、エアバック５００を膨張させる一方、収容トレイ４１０が取り出されたときに、エアバック５００のエア抜きをおこなうようにした。このような構成によれば、物品の取り出し、および収納を、円滑且つ容易におこなうことができる。
【００６９】
また、本実施例にかかる収納装置３１１において、収容トレイ４１０を引き出し自在にするガイドレール４１２およびガイドロールを備えるようにし、エアバック５００が、物品に対して上方および下方に設けられる対構成であり、下方に設けられるエアバック５００が収容トレイ４１０内に設けられ、上方に設けられるエアバックがハウジング４０１内に設けられるようにした。このような構成によれば、物品の取り出し、および収納を、最も円滑且つ容易におこなうことができる。
【００７０】
また、本実施例にかかる収納装置３１１は、ハウジング４０１内の物品の有無を検知するセンサを備えるようにし、センサによってハウジング４０１内の物品が検知されたときに、エアバック５００を膨張させるようにした。このような構成によれば、ハウジング４０１内に物品が存在するときにのみ、エアバック５００による物品への加圧をおこなうことができる。したがって、ハウジング４０１内に物品が存在しない場合にはエアバック５００が加圧されないため、物品が存在しない場合における収容トレイ４１０の引出動作を円滑におこなうことができる。
【００７１】
また、本実施例にかかる収納装置３１１において、収容トレイ４１０が引き出される前に、エアバック５００のエア抜きをおこなうようにした。このような構成により、ハウジング４０１内に物品が存在する場合における収容トレイ４１０の引出動作を円滑におこなうことができる。
【００７２】
また、本実施例にかかる収納装置３１１において、緩衝部１０２としてエアバック５００を用い、加圧部１０３として、コンプレッサ５０１を用いた。このような構成によれば、加圧および加圧の解除を最も簡単な構成で実現することができる。
【００７３】
また、本実施例にかかる収納装置３１１は、物品を載置するとともに、物品の重量によりたわむネット４１５を備え、物品の載置によるネット４１５のたわみを検知し、ネット４１５にたわみが検知されたときに、エアバック５００に対して空気を送出するようにした。このように、緩衝作用のあるネット４１５を用いることにより、ネット４１５が物品に対して衝撃を与えてしまうことなく、また、簡単な構成で物品の有無を検知することができる。
【００７４】
また、本実施例にかかる収納装置３１１は、ハウジング４０１内に送受信可能な物品用の内部アンテナを備えるようにしてもよい。このような構成によれば、たとえば、携帯電話などの送受信可能な物品を用いて、楽曲をダウンロードしている場合であっても、電波状態が安定するため、ダウンロードが中止されることなく、接続される音響装置により、ダウンロード中の楽曲を再生させることができる。
【００７５】
また、本実施例においては、収納装置３１１を車両３００のセンターパネル３１０に配置するようにした。このような構成によれば、利用者にとって、携帯型オーディオプレーヤ４２０の収納および取り出しをおこないやすい部位に収納装置３１１を配置でき、良好な操作性を得ることができる。
【図面の簡単な説明】
【００７６】
【図１】実施の形態にかかる収納装置の構成の一例を示す説明図である。
【図２】実施の形態にかかる収納装置の収納手順の一例を示すフローチャートである。
【図３】本実施例にかかる収納装置の配置の一例を示す説明図である。
【図４】本実施例にかかる収納装置の構成を示す斜視図である。
【図５】本実施例にかかる収納装置の構成を示す断面図である。
【図６】本実施例にかかる収納装置の収納処理の一例を示すフローチャートである。
【図７】本実施例にかかる収納装置の動作例を示す作用図である。
【図８】本実施例にかかる収納装置の動作例を示す作用図である。
【図９】本実施例にかかる収納装置の引出処理の一例を示すフローチャートである。
【図１０】本実施例にかかる収納装置に用いられる収容トレイの変形例を示す斜視図である。
【符号の説明】
【００７７】
１００  収納装置
１０１  ハウジング
１０２  緩衝部
１０２ａ  開口部
１０３  加圧部
１１０  収容空間
１２０  物品
３１０  センターパネル
３１１  収納装置
３１２  ナビゲーション装置
４０１  ハウジング
４１０  収容トレイ
４１２  ガイドレール
４１３  開閉ボタン
４１５  ネット
４２０  携帯型オーディオプレーヤ
５００  エアバック
５０１  コンプレッサ
１０００  収容トレイ
１０１０  収容部
１０２０  ホルダ
【図１】
2008290522.tif 000003
【図２】
2008290522.tif 000004
【図３】
2008290522.tif 000005
【図４】
2008290522.tif 000006
【図５】
2008290522.tif 000007
【図６】
2008290522.tif 000008
【図７】
2008290522.tif 000009
【図８】
2008290522.tif 000010
【図９】
2008290522.tif 000011
【図１０】
2008290522.tif 000012